(57)【要約】【課題】  小規模のフラップゲートに対して、水密が容易に高められ、整流板等も必要としない水密ゴム（又は、水密構造）を提供することを課題とする。      【解決手段】  扉体により戸当りに設けた開口を閉鎖し、閉鎖時の水密を維持するために該扉体に設けられた水密ゴムにおいて、該水密ゴム本体に戸当り方向に突起し、戸当り方向に対して末広がり状に広がり、且つ断面を先細形状に形成した舌状周縁部を具備したことを特徴とする。なお、該舌状周縁部水密ゴム本体の戸当り側面の外側縁部、又は該水密本体の外側側面に設けられている。【選択図】  図１
2005133365.tif 000002
【特許請求の範囲】
【請求項１】
扉体により戸当りに設けた開口を閉鎖し、閉鎖時の水密を維持するために該扉体に設けられた水密ゴムにおいて、該水密ゴム本体に戸当り方向に突起した舌状周縁部を設けたことを特徴とする水密ゴム。
【請求項２】
前記舌状周縁部は戸当り方向に対して末広がり状に広がり、且つ断面を先細形状に形成したことを特徴とする請求項１に記載の水密ゴム。
【請求項３】
前記舌状周縁部は前記水密ゴム本体の戸当り側面の外側縁部、又は該水密本体の外側側面に設けたことを特徴とする請求項１又は請求項２の何れか１に記載の水密ゴム。
【発明の詳細な説明】
【技術分野】
【０００１】
この発明は、暗渠の出水出口に配設されるゲートの技術分野に属する。更に詳細には、暗渠用フラップゲートに設ける水密の技術分野に属する。
【背景技術】
【０００２】
従来から、暗渠の出水出口にはフラップゲートを配設されることが多い。フラップゲートは、常時においては上流に設けられた貯水槽等の内水を暗渠によって下流の湖や河川等に排水し、下流の湖や河川等が洪水時や高潮時のように水位が上昇した場合には下流からの外水が暗渠を介して上流側に進水するのを阻止するために設けられている。このようなフラップゲートは従来から良く知られている。例えば、以下の特許文献１〜３にも開示されている。
【特許文献１】公開特許公報、特開平９−１３２９３７号
【特許文献２】公開特許公報、特開２００１−３２２４８号
【特許文献３】公開特許公報、特開２００２−１０５９３４号上記特許文献には同じような水密ゴムが使用されているが、特許文献１に最も明瞭に開示されている。従って、特許文献１に開示されているフラップゲートについて以下に簡単に説明する。
【０００３】
図６は特許文献１に記載されているフラップゲートの正面図を示し、図７はフラップゲートが出水口を開いている状態を示す断面図で、図８は水密ゴム部分を拡大した図を示す。図６〜図８において、このフラップゲートは管径の大きいものに使用されている。扉体４０は縦に分割された分割扉体４０ａ、４０ｂを合体した扉体で構成され、戸当り４１は水平に分割された分割された戸当り４１ａ、４１ｂを合体して構成されている。戸当り４１にはブラケット４２を固設し、ブラケット４２に扉体４０がピン４７、ピン４８により部材４３，４４を介して２箇所で回動可能に支持されると共に、支点部材４９が上方に突出して設けられている。これによって、流出する水流の少ない場合には扉体４０はピン４８の回りで回動し、所定の角度で停止するように構成されている。流出水流の多い場合はピン４７の回りで回動する。これによって、２個所の位置（開閉角度）で支持できるようになっている。また、扉体４０の内側側縁４０ｃの外側に環状の水密ゴムが内側側縁４０ｃの外側に装着されている。又は、水密ゴム５０が環状に巻いてもよい。扉体４０の下部内面には水流の流れを良くし、且つゴミが引っ掛からないように整流板５２が設けられている。
【発明の開示】
【発明が解決しようとする課題】
【０００４】
上記した従来装置では水密ゴム５０が戸当り４１の表面Ｘまで変形して水密を維持する。即ち、水密ゴム５０の構造は扉体４０が大きく重い場合には戸当り４１を押す圧力が大きくなり、水密ゴムの先端部５０ａを変形させて水密を維持する。しかし、フラップゲートの管径（暗渠の管径）が小さく、扉体も小さく軽量の場合は十分な水密を確保することが困難になるという問題があった。この問題を解決するために、重り等を利用して扉体に戸当り方向に付勢力を作用させて水密を高めたり、或いは暗渠の出水出口面の角度を垂直方向に対して斜めに設けて水密を高める等の手段が採用されていた。しかし、これらの手段では十分に解決できかった。また、流出する水流の流れ抵抗（渦の発生による）を小さくし、ゴミの引っ掛かりを防止するために整流板を設けているが、構造が複雑になり、製作コストが高くなるという問題がある。
この発明は、上述のような背景の下になされたもので、小規模のフラップゲートに対して上記問題を解決した、即ち、水密が容易に高められ、整流板等も必要としない水密ゴム（又は、水密構造）を提供することを課題とする。
【課題を解決するための手段】
【０００５】
上記課題を解決するために本発明は以下の手段を採用している。即ち、
請求項１記載の発明は、扉体により戸当りに設けた開口を閉鎖し、閉鎖時の水密を維持するために該扉体に設けられた水密ゴムにおいて、該水密ゴム本体に戸当り方向に突起した舌状周縁部を設けたことを特徴としている。
【０００６】
請求項２記載の発明は、請求項１に記載の発明において、前記舌状周縁部は戸当り方向に対して末広がり状に広がり、且つ断面を先細形状に形成したことを特徴としている。
【０００７】
請求項３記載の発明は、請求項１〜請求項２の何れか１に記載の発明において、前記舌状周縁部は前記水密ゴム本体の戸当り側面の外側縁部、又は該水密本体の外側側面に設けたことを特徴としている。
【発明の効果】
【０００８】
本発明（請求項１に記載の発明）によれば、水密ゴム本体に戸当り方向に突起した舌状周縁部を設けたので、小さな力でも水密がよく維持でき、従って、外面の水位が低い場合でも水密機能が発揮できるという効果が得られる。更に、請求項２に記載の発明によれば、前記舌状周縁部は戸当り方向に対して末広がり状に広がり、且つ断面を先細形状に形成したので、内水中のゴミ等が引っ掛かるのを防止できるという効果が得られる。
【発明を実施するための最良の形態】
【０００９】
図１は本発明を実施した実施形態の側面断面図を示す。図２は本実施形態の正面図を示す。図４は本実施形態の水密ゴムの変形例を示し、図５は水密ゴムの別の取付け、固定方法を示す。図１、図２において、通水路１０は埋設された管１１により形成された暗渠であり、暗渠の出水出口では開口１４を設けた戸当り１２がコンクリート壁等１３に固着して設けられる。開口１４に対向して扉体１５が開閉手段１６により開閉自在に設けられる。
【００１０】
開閉手段１６は、戸当り１２に固設されたブラケット１７と、ピン１９によってブラケット１７に回動自在に設けられた第１連結部材１８と、更に第１連結部材１８にピン２１によって回動自在に設けられた第２連結部材２０とから構成され、第２連結部材２０の下部に扉体１５の上辺部が固設されている。従って、扉体１５はピン１９の回りに回転可能（暗渠１０からの出水量が多い場合）で、かつ、ピン２１の回りにも回転可能（暗渠１０からの出水量が少ない場合）である。
【００１１】
また、扉体１５を戸当り１４の方向に付勢する付勢手段２２が設けられている。付勢手段２２は一端がピン１９に固設され、他端が扉体１５を戸当り１４の方向に押し圧するように接触した板部材２３と付勢力を生じさせる重り２４とか構成されている。従って、扉体１５は暗渠１０からの出水量がゼロの場合は付勢手段２２による付勢力によって開口１４を閉じた状態になっている。また、扉体１５の内側（戸当り１４側）には環状の水密ゴム２５が設けられている。
【００１２】
図３に示すように、水密ゴム２５は円盤形状の取付け板２６とボルトナット手段２７によって扉体１５の内側に着脱可能に固設されている。水密ゴム２５の断面は、図の黒塗りで示すように、水密ゴム２５の舌状周縁部２５ａが水密ゴム本体２５ｂの外側縁部から戸当り１４の方向に向かって末広がりに広がり、且つ先端が細くなるという形状に形成されている。従って、舌状周縁部２５ａの先端は小さな付勢力よっても戸当り１４の表面に押圧されて変形し、水密が保たれる構造になっている。また、舌状周縁部２５ａの先端は末広がりに広がって、滑らかな内面を形成しているために、暗渠１０からの出水中に細長い浮遊物が混じっており、出水と共に流出する場合でも水密ゴム２５に引っ掛からずに流出してしまう。
【００１３】
図４は別の形状の水密ゴム３１を示す。水密ゴム３１は環状で、図の黒塗り部分は断面形状を示す。水密ゴム３１は本体３１ｂの内側面に差込用溝３１ｃが設けられており、下端面（又は外側縁部）に舌状周縁部３１ａが形成されている。水密ゴム３１の扉体１５への固定方法が差し込み式になっている点では異なるが機能や、作用効果は前述した水密ゴム２５と同様である。
【００１４】
図５に示す水密ゴム３３は図３に示す水密ゴム２５と断面形状と固定方式が異なっている例を示す。水密ゴム３３の内側周縁部３３ｃにも勾配を小さなゴミが付着しにくい構成としている。また、固定方式は取付け用円盤ではなく、取付け用リングを本体３３ｂの内側に設けられた凹み部に挿入してボルトナット３４で固定している。それ以外の点では、機能や、作用効果は前述した水密ゴム２５と同様である。
【００１５】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、付勢手段を設けていない場合、他の付勢手段を設けたものも本願発明の技術的範囲に含まれる。また、本願発明の技術的範囲は、必ずしも暗渠の径が小さいものに限定されない。
【図面の簡単な説明】
【００１６】
【図１】本発明を実施した実施形態の側面断面図を示す。
【図２】本実施形態の正面図を示す。
【図３】本実施形態の水密ゴム構造の拡大図を示す。
【図４】本実施形態における異なる形状の水密ゴムを示す。
【図５】本実施形態における水密ゴムの他の取付け固定方法を示す。
【図６】従来装置のフラップゲートの正面図を示す。
【図７】従来装置のフラップゲートの側面断面図を示す。
【図８】従来装置の水密ゴムを示す。
【符号の説明】
【００１７】
１１            暗渠管
１２            戸当り
１４            戸当りの開口
１５            扉体
１６            開閉手段
１７            ブラケット
１９，２１      ピン  
１８、２０      連結部材
２２            付勢手段
２４            重り
２５、３１、３３                水密ゴム
２５ａ、３１ａ，３３ａ          舌状周縁部
２５ｂ、３１ｂ、３３ｂ          水密ゴム本体
３１ｃ          環状溝    
３３ｃ          内側周縁部
【図１】
2005133365.tif 000003
【図２】
2005133365.tif 000004
【図３】
2005133365.tif 000005
【図４】
2005133365.tif 000006
【図５】
2005133365.tif 000007
【図６】
2005133365.tif 000008
【図７】
2005133365.tif 000009
【図８】
2005133365.tif 000010